【手続補正書】
【提出日】平成15年11月6日(2003.11.6)
【手続補正１】
【補正対象書類名】明細書
【補正対象項目名】全文
【補正方法】変更
【補正の内容】
【発明の名称】スロットマシン
【特許請求の範囲】
【請求項１】複数種類の図柄を変動表示した後、その変動表示を停止する図柄変動表示装置と、
一般遊技中、ビッグボーナスの抽選を行うビッグボーナス抽選手段と、
前記ビッグボーナス抽選手段によるビッグボーナスの抽選後、図柄変動表示装置に停止表示された停止図柄がビッグボーナス図柄と一致することを条件に、一般遊技からビッグボーナスゲームへ移行するビッグボーナス移行手段と、
ビッグボーナス中の遊技回数を計数する遊技回数計数手段と、
前記遊技回数計数手段の遊技回数計数値が予め定められた計数値に達したことを条件に、ビッグボーナスゲームから一般遊技に移行する一般遊技移行手段とを備えたスロットマシンにおいて、
ビッグボーナスゲーム中、シングルボーナスの抽選を行うシングルボーナス抽選手段と、
前記シングルボーナス抽選手段によるシングルボーナスの抽選後、図柄変動表示装置に停止表示された停止図柄がシングルボーナス図柄と一致することを条件に、特定遊技回数に限って、シングルボーナスゲームに移行させるシングルボーナス移行手段と、
前記シングルボーナス移行手段によって移行したシングルボーナスゲーム中、特定図柄の抽選を行うシングルボーナス中抽選手段と、
前記シングルボーナス中抽選手段による特定図柄の抽選の後、図柄変動表示装置に停止表示された停止図柄が特定図柄と一致することを条件に、遊技者にメダルを付与するメダル付与手段とを備え、
前記遊技回数計数手段は、ビッグボーナスゲーム中の遊技回数に、前記シングルボーナス移行手段によるビッグボーナスゲーム中のシングルボーナスゲームへの移行回数を含めて計数する
ことを特徴とするスロットマシン。
【請求項２】シングルボーナス移行手段は、特定遊技回数に限ってビッグボーナスゲームからシングルボーナスゲームに移行し、特定遊技回数経過後、シングルボーナスゲームからビッグボーナスゲームに移行させるようにしたことを特徴とする請求項１記載のスロットマシン。
【発明の詳細な説明】
【０００１】
【発明の属する技術分野】
この発明は、ビッグボーナスゲーム中に、シングルボーナスの抽選を行うようにしたスロットマシンに関するものである。
【０００２】
【従来の技術】
従来、この種のスロットマシンとしては、複数種類の図柄を変動表示した後、その変動表示を停止する図柄変動表示装置と、一般遊技中、ビッグボーナスの抽選を行うビッグボーナス抽選手段と、前記ビッグボーナス抽選手段によるビッグボーナスの抽選後、図柄変動表示装置に停止表示された呈す図柄がビッグボーナス図柄と一致することを条件に、一般遊技からビッグボーナスゲームへ移行するビッグボーナス移行手段と、ビッグボーナスゲーム中、役物の抽選及びレギュラーボーナスの抽選を行うビッグボーナス中抽選手段と、前記ビッグボーナス中抽選手段によるレギュラーボーナスの抽選後、図柄変動表示装置に停止表示された停止図柄がレギュラーボーナス図柄と一致することを条件に、レギュラーボーナスゲームに移行するレギュラーボーナス移行手段と、ビッグボーナスゲーム中の遊技回数を計数する遊技回数計数手段と、前記レギュラーボーナス移行手段によるビッグボーナスゲーム中のレギュラーボーナスゲームへの移行回数を計数するレギュラーボーナス計数手段と、前記遊技回数計数手段の遊技回数計数値が予め定められた第１の計数値に達するか、レギュラーボーナス計数手段のレギュラーボーナス回数計数値が予め定められた第２の計数値に達するかいずれか先に達成された条件に従ってビッグボーナスゲームから一般遊技に移行する一般遊技移行手段と、一般遊技において、シングルボーナス抽選を行うシングルボーナス抽選手段と、前記シングルボーナス抽選手段によるシングルボーナスの抽選後、図柄変動表示装置に停止表示された停止図柄がシングルボーナス図柄と一致することを条件に、特定遊技回数に限ってシングルボーナスゲームに移行させるシングルボーナス移行手段と、前記シングルボーナス移行手段によって移行したシングルボーナスゲーム中、特定図柄の抽選を行うシングルボーナス中抽選手段と、前記シングルボーナス中抽選手段による特定図柄の抽選の後、図柄変動表示装置に停止表示された停止図柄が特定図柄と一致することを条件に、遊技者にメダルを付与するメダル付与手段とを備えたものが知られていた。
【０００３】
すなわち、ビッグボーナスゲーム中には、単にメダルの払出が行われる小役及びレギュラーボーナスの抽選のみを行い、シングルボーナスゲームへ移行するか否かの抽選であるのシングルボーナスの抽選を行っていなかった。
【０００４】
【発明が解決しようとする課題】
しかし、上記した従来のスロットマシンでは、ボーナスゲーム中に、シングルボーナスの抽選を行っていなかったことから、ビッグボーナスゲーム中の遊技に変化が乏しく、遊技の興趣を削がれてしまうといった問題点があった。
そこで、請求項１記載のスロットマシンは、上記した従来の技術の有する問題点に鑑みてなされたものであり、その目的とするところは、ビッグボーナスゲームの遊技中にシングルボーナスの抽選を行い、ビッグボーナスゲーム中にも、シングルボーナスゲームへの移行を可能として、ビッグボーナスゲーム中の遊技に変化を持たせ、興趣あふれる遊技が可能なスロットマシンを提供しようとするものである。
さらに、請求項１記載のスロットマシンは、ビッグボーナスゲームの遊技回数に変更を来すことなく、ビッグボーナスゲーム中にシングルボーナスゲームを可能とすることにより、メリハリのある遊技が可能なスロットマシンを提供しようとするものである。
【０００５】
これに加え、請求項２記載のスロットマシンは、ビッグボーナスゲーム中に移行したシングルボーナスゲームが特定遊技回数終了した後は、再びビッグボーナスゲームへ移行することにより、ビッグボーナスゲームによる利益を十分享受可能とするとともに、更に変化に富んだ遊技が可能なスロットマシンを提供しようとするものである。
【０００６】
【０００７】
【課題を解決するための手段】
（特徴点）
本発明は、上記した目的を達成するためのものであり、以下にその内容を図面に示した発明の実施の形態の一例を用いて説明する。
（請求項１）
請求項１記載のスロットマシンは、次の点を特徴とする。
【０００８】
すなわち、シングルボーナス抽選手段(99)は、ビッグボーナスゲーム中においても、シングルボーナスの抽選を行う。
シングルボーナス移行手段(100)は、前記シングルボーナス抽選手段(99)によるシングルボーナスの抽選後、図柄変動表示装置に停止表示された停止図柄がシングルボーナス図柄と一致することを条件に、特定遊技回数に限って、シングルボーナスゲームに移行させる。
シングルボーナス中抽選手段(101)は、前記シングルボーナス移行手段(100)によって移行したシングルボーナスゲーム中、特定図柄の抽選を行う。
メダル付与手段(例えばホッパー装置80)は、前記シングルボーナス中抽選手段(101)による特定図柄の抽選の後、図柄変動表示装置に停止表示された停止図柄が特定図柄と一致することを条件に、遊技者にメダルを付与する。
遊技回数計数手段(96)は、ビッグボーナスゲームから一般遊技に移行する条件であるビッグボーナス中の遊技回数を計数するとともに、ビッグボーナスゲーム中の遊技回数に、前記シングルボーナス移行手段(100)によるビッグボーナスゲーム中のシングルボーナスゲームへの移行回数を含めて計数する。
（請求項２）
請求項２記載のスロットマシンは、上記した請求項１記載の特徴点に加え、次の点を特徴とする。
【０００９】
すなわち、シングルボーナス移行手段(100)は、特定遊技回数（例えば１回）に限ってビッグボーナスゲームからシングルボーナスゲームに移行し、特定遊技回数経過後、シングルボーナスゲームからビッグボーナスゲームに移行させる。
【００１０】
【００１１】
【発明の実施の形態】
図１〜３は、本発明の一実施の形態を示すものであり、図１はスロットマシンの概略構成を表したブロック図、図２はスロットマシンの概略正面図、図３は遊技の態様の変化を表したタイムチャートを各々示す。
図２中、10は、スロットマシンを示すものであり、このスロットマシン10は、箱状のスロットマシン本体20と、このスロットマシン本体20の前面に設けられたフロントパネル30とを備えている。
【００１２】
上記フロントパネル30の前面には、図２に示すように、そのほぼ中央に、３個の表示窓40・・が横並びに並んで設けられている。そして、各表示窓40・・の奥方には、ステッピングモータ等からなるリールモータ50（図１）によって回転する、図柄変動表示装置としての３個の回転リール60・・が、各々その表面を各表示窓40・・に臨ませるように設けられている。
【００１３】
また、各回転リール60・・の表面には、図には示さないが、それぞれその外周表面に、例えば「７」、「スカル」、「チェリー」、［ＰＯＷ］等の複数種類の図柄が表示されている。
そして、各回転リール60・・を変動表示、すなわち回転させることにより、各表示窓40・・内に、複数の図柄を上下方向に移動表示させることができる。
【００１４】
なお、各回転リール60・・は、図柄変動表示装置の一例であって、図柄変動表示装置は、他に、例えば液晶表示装置等により図柄を表示させ、これを移動表示させるものであってもよい。
また、前記フロントパネル30の表面には、各表示窓40・・を結ぶように５本の賞ライン41・・・・が表示されている。この賞ライン41・・・・は、回転リール60・・が回転してから回転を停止した状態で、停止図柄の組み合わせの如何を判定するラインであって、各表示窓40・・の上段位置を結ぶように表示された上ライン、中段位置を結ぶように表示された中ライン、下段位置を結ぶように表示された下ライン、中央の表示窓40・・の中央で×点状に交差する２本の斜めラインとから構成されている。
【００１５】
前記フロントパネル30の表面には、図２に示すように、表示窓40・・の左斜め下方に、各回転リール60・・の図柄を一斉に移動表示させるためのボタン状のスタートスイッチ70が設けられている。
また、表示窓40・・の真下には、図２に示すように、前記スタートスイッチ70により回転している回転リール60・・の回転を停止させて、図柄の変動表示を、個々の表示窓40・・ごとに停止させるためのボタン状の３個のストップスイッチ71・・が設けられている。
【００１６】
また、フロントパネル30の表面には、図２に示すように、表示窓40・・の向かって斜め右下に、スロットマシン10にメダルを投入するためのメダル投入口72が設けられている。
また、前記メダル投入口72の真下には、図２に示すように、メダル投入口72から投入され、予めクレジットメダルとして貯留されたメダルを、遊技に供するメダルとして投入するためのボタン状のクレジット投入スイッチ73が設けられている。
【００１７】
前記クレジット投入スイッチ73の下方には、図２に示すように、スロットマシン10の内部にクレジットされたメダルを排出させるためのボタン状の精算スイッチ74が設けられている。
また、前記スロットマシン10の下方には、図２に示すように、スロットマシン本体20の内部に配置された、メダル付与手段としてのホッパー装置80（図１）からのメダルが排出されるメダル排出口75と、このメダル排出口75の下方に設けられ、メダル排出口75から排出されたメダルが貯まり込むメダル排出皿76が設けられている。
（遊技制御手段）
前記スロットマシン10には、図１に示すように、遊技に関する各種の制御を行うための遊技制御手段90を備えている。
【００１８】
上記遊技制御手段90の入力側には、図１に示すように、スタートスイッチ70と、ストップスイッチ71・・とが各々接続されている。
また、遊技制御手段90の出力側には、図柄変動表示装置としての回転リール60・・を回転駆動するためのリールモータ50と、メダルを排出するためのホッパー装置80とが各々接続されている。
【００１９】
上記遊技制御手段90は、図１に示すように、小役抽選手段91と、ビッグボーナス抽選手段92と、ビッグボーナス移行手段93と、ビッグボーナス中抽選手段94と、レギュラーボーナス移行手段95と、遊技回数計数手段96と、レギュラーボーナス計数手段97と、一般遊技移行手段98と、シングルボーナス抽選手段99と、シングルボーナス移行手段100と、シングルボーナス中抽選手段101とを備えている。
【００２０】
上記遊技制御手段90は、具体的には図示しないが、ＣＰＵ（中央演算装置）、ＲＯＭ（リードオンリーメモリー）、ＲＡＭ（ランダムアクセスメモリー）、I/Ｏなどを備えたマイクロコンピュータにより構成されている。
（小役抽選手段）
小役抽選手段91は、ＲＯＭに記憶されたプログラムにもとづいて、一般遊技中に、小役の入賞か否かの抽選を行う
（ビッグボーナス抽選手段）
ビッグボーナス抽選手段92は、ＲＯＭに記憶されたプログラムにもとづいて、一般遊技中に、ビッグボーナスゲームに移行するか否かの抽選を行う。
（ビッグボーナス移行手段）
ビッグボーナス移行手段93は、ＲＯＭに記憶されたプログラムにもとづいて、前記ビッグボーナス抽選手段92によるビッグボーナスの抽選後、抽選の結果が、ビッグボーナスゲームへ移行させるものである場合には、図柄変動表示装置に停止表示された停止図柄がビッグボーナス図柄と一致することを条件に、一般遊技からビッグボーナスゲームへ移行させる。
（ビッグボーナス中抽選手段）
ビッグボーナス中抽選手段94は、ＲＯＭに記憶されたプログラムにもとづいて、ビッグボーナスゲーム中、小役の入賞か否かの抽選、及びレギュラーボーナスゲームへ移行させるか否かの抽選を行う。
（レギュラーボーナス移行手段）
レギュラーボーナス移行手段95は、ＲＯＭに記憶されたプログラムにもとづいて、前記ビッグボーナス中抽選手段94によるレギュラーボーナスの抽選後、抽選の結果が、レギュラーボーナスゲームへ移行させるものである場合には、前記図柄変動表示装置に停止表示された図柄がレギュラーボーナス図柄と一致することを条件に、レギュラーボーナスゲームに移行させる。
（遊技回数計数手段）
遊技回数計数手段96は、ＲＯＭに記憶されたプログラムにもとづいて、ビッグボーナスゲーム中に行われた一般遊技の遊技回数を計数する。
（レギュラーボーナス計数手段）
レギュラーボーナス計数手段97は、ＲＯＭに記憶されたプログラムにもとづいて、前記レギュラーボーナス移行手段95によるビッグボーナスゲーム中のレギュラーボーナスゲームへの移行回数を計数する。
（一般遊技移行手段）
一般遊技移行手段98は、ＲＯＭに記憶されたプログラムにもとづいて、前記遊技回数計数手段96の遊技回数計数値が予め定められた第１の計数値に達するか、レギュラーボーナス計数手段97のレギュラーボーナス回数計数値が予め定められた第２の計数値に達するか、いずれか先に達成された条件に従ってビッグボーナスゲームから一般遊技に移行させる。
（シングルボーナス抽選手段）
シングルボーナス抽選手段99は、ＲＯＭに記憶されたプログラムにもとづいて、一般遊技において、シングルボーナスゲームへ移行させるか否か抽選を行い、ビッグボーナスゲーム中においてシングルボーナスゲームへ移行させるか否かの抽選を行う。
（シングルボーナス移行手段）
シングルボーナス移行手段100は、ＲＯＭに記憶されたプログラムにもとづいて、一般遊技中に、前記シングルボーナス抽選手段99によるシングルボーナスの抽選後、抽選の結果がシングルボーナスゲームへ移行させるものである場合に、図柄変動表示装置に停止表示された停止図柄がシングルボーナス図柄と一致することを条件に、特定遊技回数に限って一般遊技からシングルボーナスゲームに移行させ、特定遊技回数経過後、一般遊技に移行させる。
【００２１】
また、シングルボーナス移行手段100は、ＲＯＭに記憶されたプログラムにもとづいて、ビッグボーナスゲーム中に、前記シングルボーナス抽選手段99によるシングルボーナスの抽選後、抽選の結果がシングルボーナスゲームへ移行させるものである場合に、図柄変動表示装置に停止表示された停止図柄がシングルボーナス図柄と一致することを条件に、特定遊技回数に限ってビッグボーナスゲームからシングルボーナスゲームに移行させ、特定遊技回数経過後、シングルボーナスゲームからビッグボーナスゲームに移行させる。
（シングルボーナス中抽選手段）
シングルボーナス中抽選手段101は、ＲＯＭに記憶されたプログラムにもとづいて、前記シングルボーナス移行手段100によって移行したシングルボーナスゲーム中、特定図柄の抽選を行う。
（遊技回数計数手段）
また、遊技回数計数手段96は、ＲＯＭに記憶されたプログラムにもとづいて、ビッグボーナスゲーム中の遊技回数に、ビッグボーナスゲーム中の一般遊技に加え、シングルボーナス移行手段100によるビッグボーナスゲーム中のシングルボーナスゲームへの移行回数を含めて計数する。
【００２２】
なお、上記「図柄変動表示装置に停止表示された停止図柄」とは、すべての回転リール60・・の回転が停止した状態で、表示窓40・・に表示された各賞ライン41・・・・のいずれかに停止表示された停止図柄の組み合わせを意味する。
（遊技方法）
つぎに、上記した構成を備えたスロットマシン10の遊技方法について説明する。
【００２３】
まず、メダル投入口72からメダルを投入するか、または、クレジット投入スイッチ73を操作することにより、遊技に供するメダルを投入する。
遊技に供するメダルを投入した後に、スタートスイッチ70を操作すると、横並びに並んだ３個の回転リール60・・がほぼ同時に、回転を開始し、この結果、回転リール60・・の外周に表示された複数種類の図柄が上下方向に変動表示される。
【００２４】
このときに、ビッグボーナス抽選手段92によって小役、シングルボーナス及びビッグボーナスの抽選が行われる。
ビッグボーナス抽選手段92は、小役の入賞か否か、シングルボーナスゲームへ移行するか否か及びビッグボーナスゲームへ移行するか否かの抽選を行う。ビッグボーナス抽選手段92による抽選の結果には、小役の入賞、シングルボーナスゲームへの移行、ビッグボーナスゲームへの移行、入賞なしの４つの態様がある。
【００２５】
ビッグボーナス抽選手段92による抽選結果が、小役の入賞を内容とする場合には、小役に入賞する権利が与えられる。
また、抽選結果が、シングルボーナスゲームへの移行を内容とする場合には、シングルボーナスゲームへ移行するための権利が与えられる。
また、抽選結果が、ビッグボーナスゲームの移行を内容とする場合には、ビッグボーナスゲームに移行するための権利が与えられる。
【００２６】
さらに、抽選結果が、上記以外の場合、すなわち、入賞、シングルボーナスゲームへの移行、ビッグボーナスゲームへの移行のいずれでもない場合には、入賞なしとなる。
上記各抽選手段による抽選が終了した後に、各回転リール60・・に対応して設けられたストップスイッチ71・・を操作すると、操作した各ストップスイッチ71・・に対応した各回転リール60・・が個別に停止する。
【００２７】
そして、各回転リール60・・が回転を停止した状態で、表示窓40・・の賞ライン41・・・・上に停止表示された、各回転リール60・・の停止図柄の組み合わせが、予め定められた所定の図柄の組み合わせである場合、すなわち小役である場合、シングルボーナス図柄である場合、ビッグボーナス図柄である場合には、各停止図柄の組み合わせに応じたメダルが、ホッパー装置80を駆動することにより付与され、または、シングルボーナスゲームあるいはビッグボーナスゲームに移行することができる。これが一般遊技の遊技態様である。
【００２８】
まず、一般遊技において、小役抽選手段91によって、小役に入賞する権利が与えられた場合について説明する。
小役抽選手段91によって、小役に入賞する権利が与えられた場合には、すべての回転リール60・・を停止させた状態で、表示窓40・・のいずれかの賞ライン41・・・・上に停止表示された停止図柄の組み合わせが、小役を構成する図柄の組み合わせ、例えば「チェリー」、「チェリー」、「チェリー」である場合には、停止表示された「チェリー」に対応する枚数のメダル、８枚のメダルがホッパー装置80から排出され、メダル排出口75を介して遊技者に付与される。
【００２９】
そして、小役の入賞によって、遊技者に対してメダルが付与された後は、メダル投入口72から、あるいはクレジット投入スイッチ73を操作して、再びメダルを投入することにより一般遊技を開始することができる。
つぎに、先に説明した一般遊技において、ビッグボーナス抽選手段92によって、シングルボーナスゲームに移行するための権利が与えられた場合について説明する。
【００３０】
すべての回転リール60・・を停止させた状態で、表示窓40・・のいずれかの賞ライン41・・・・上に停止表示された停止図柄の組み合わせが、シングルボーナス図柄の組み合わせ、例えば「スカル」、「スカル」、「スカル」である場合には、所定枚数のメダル、例えば１５枚のメダルがホッパー装置80から排出され、メダル排出口75を介して遊技者に付与されるとともに、シングルボーナス移行手段100によって、シングルボーナスゲームへ移行する。
【００３１】
このシングルボーナスゲームでは、所定枚数のメダル、例えば１枚のメダルを投入して、スタートスイッチ70を操作することにより、すべての回転リール60・・の回転を開始させた後に、各ストップスイッチ71・・を操作して、すべての回転リール60・・の回転を停止させた状態で、表示窓40・・の賞ライン41・・・・のうち中ライン上に並んだ図柄の組み合わせが特定図柄の組み合わせである場合に、所定枚数のメダル、例えば１５枚のメダルがホッパー装置80から排出され、メダル排出口75を介して遊技者に付与される。
【００３２】
そして、シングルボーナス移行手段100は、前記シングルボーナスゲームを、所定回数、例えば１回行わせた後に、遊技態様を、シングルボーナスゲームから再びもとの一般遊技に移行させる。
したがって、シングルボーナスゲームを１回行った後には、メダル投入口72から、あるいはクレジット投入スイッチ73を操作して、再びメダルを投入することにより一般遊技を開始することができる。
【００３３】
つぎに、一般遊技において、ビッグボーナス抽選手段92によって、ビッグボーナスゲームに移行するための権利が与えられた場合について説明する。
すべての回転リール60・・を停止させた状態で、表示窓40・・のいずれかの賞ライン41・・・・上に停止表示された停止図柄の組み合わせが、ビッグボーナス図柄の組み合わせ、例えば「７」、「７」、「７」である場合には、所定枚数のメダル、例えば１５枚のメダルがホッパー装置80から排出され、メダル排出口75を介して遊技者に付与されるとともに、図３に示すように、ビッグボーナス移行手段93によって、ビッグボーナスゲームへ移行する。
【００３４】
このビッグボーナスゲームにおいては、ビッグボーナスゲーム中の一般遊技、ビッグボーナスゲーム中のレギュラーボーナスゲームの遊技を行うことができる。
まず、ビッグボーナスゲーム中の一般遊技について説明する。
ビッグボーナスゲーム中においては、先に説明した一般遊技と同様に、スタートスイッチ70の操作後に、抽選が行われる。
【００３５】
ビッグボーナスゲーム中の一般遊技においては、ビッグボーナス中抽選手段94によって、小役の抽選及びレギュラーボーナスの抽選が行われ、シングルボーナス抽選手段99によって、シングルボーナスの抽選が行われる。
ビッグボーナス中抽選手段94は、小役の入賞か否か、レギュラーボーナスゲームへ移行するか否かの抽選を行い、シングルボーナス抽選手段99は、シングルボーナスゲームへ移行するか否かの抽選を行う。
【００３６】
ビッグボーナス中抽選手段94及びシングルボーナス抽選手段99には、小役の入賞、レギュラーボーナスゲームへの移行、シングルボーナスゲームへの移行、入賞なしの４つの態様がある。
ビッグボーナス中抽選手段94による抽選結果が、小役の入賞を内容とする場合には、小役に入賞する権利が与えられる。
【００３７】
抽選結果が、レギュラーボーナスゲームへの移行を内容とする場合には、レギュラーボーナスゲームへ移行するための権利が与えられる。
抽選結果が、シングルボーナスゲームへの移行を内容とする場合には、シングルボーナスゲームへ移行するための権利が与えられる。
そして、ビッグボーナス中抽選手段94及びシングルボーナス抽選手段99による抽選の結果が、上記以外の場合には、入賞なしとなる。
【００３８】
そして、上記各抽選手段による抽選が終了した後に、上記一般遊技と同様に、各回転リール60・・に対応して設けられたストップスイッチ71・・を操作すると、操作した各ストップスイッチ71・・に対応した各回転リール60・・が個別に停止する。
そして、各回転リール60・・が回転を停止した状態で、表示窓40・・の賞ライン41・・・・上に停止表示された、各回転リール60・・の停止図柄の組み合わせが、予め定められた所定の図柄の組み合わせである場合、すなわち小役である場合、レギュラーボーナス図柄である場合、シングルボーナス図柄である場合には、各停止図柄の組み合わせに応じたメダルが、ホッパー装置80を駆動することにより付与され、または、レギュラーボーナスゲームあるいはシングルボーナスゲームに移行することができる。これがビッグボーナスゲーム中の一般遊技の遊技態様である。
【００３９】
まず、ビッグボーナスゲーム中の一般遊技において、ビッグボーナス中抽選手段94によって、小役に入賞する権利が与えられた場合について説明する。
ビッグボーナス中抽選手段94によって、小役に入賞する権利が与えられた場合には、すべての回転リール60・・を停止させた状態で、表示窓40・・のいずれかの賞ライン41・・・・上に停止表示された停止図柄の組み合わせが、小役を構成する図柄の組み合わせ、例えば「チェリー」、「チェリー」、「チェリー」である場合には、停止表示された「チェリー」に対応する枚数のメダル、８枚のメダルがホッパー装置80から排出され、メダル排出口75を介して遊技者に付与される。
【００４０】
そして、小役の入賞によって、遊技者に対してメダルが付与された後は、メダル投入口72から、あるいはクレジット投入スイッチ73を操作して、再びメダルを投入することにより、ビッグボーナス中の一般遊技を継続することができる。
つぎに、先に説明したビッグボーナスゲーム中の一般遊技において、ビッグボーナス中抽選手段94によって、シングルボーナスゲームに移行するための権利が与えられた場合について説明する。
【００４１】
すべての回転リール60・・を停止させた状態で、表示窓40・・のいずれかの賞ライン41・・・・上に停止表示された停止図柄の組み合わせが、シングルボーナス図柄の組み合わせ、例えば「スカル」、「スカル」、「スカル」である場合には、所定枚数のメダル、例えば１５枚のメダルがホッパー装置80から排出され、メダル排出口75を介して遊技者に付与されるとともに、シングルボーナス移行手段100によって、図３に示すように、シングルボーナスゲームへ移行する。
【００４２】
ビッグボーナスゲーム中の一般遊技においてシングルボーナスゲームに移行した場合におけるシングルボーナスゲームは、前記一般遊技中のシングルボーナスと同様で、前記シングルボーナスゲームを、所定回数、例えば１回行わせた後に、図３に示すように、シングルボーナスゲームから再びもとの遊技態様、すなわち、ビッグボーナスゲーム中の一般遊技に移行させる。
【００４３】
つぎに、先に説明したビッグボーナス中の一般遊技において、ビッグボーナス中抽選手段94によって、レギュラーボーナスゲームに移行するための権利が与えられた場合について説明する。
すべての回転リール60・・を停止させた状態で、表示窓40・・のいずれかの賞ライン41・・・・上に停止表示された停止図柄の組み合わせが、レギュラーボーナス図柄の組み合わせ、例えば「ＰＯＷ」、「ＰＯＷ」、「ＰＯＷ」である場合には、所定枚数のメダルがホッパー装置80から排出され、メダル排出口75を介して遊技者に付与されるとともに、レギュラーボーナス移行手段95によって、図３に示すように、ビッグボーナスゲームの一般遊技からビッグボーナスゲーム中のレギュラーボーナスゲームへ移行する。
【００４４】
レギュラーボーナスゲームでは、所定枚数のメダル、例えば１枚のメダルを投入して、スタートスイッチ70を操作することにより、すべての回転リール60・・の回転を開始させた後に、各ストップスイッチ71・・を操作して、すべての回転リール60・・の回転を停止させた状態で、表示窓40・・の賞ライン41・・・・のうち中ライン上に並んだ図柄の組み合わせが特定図柄の組み合わせである場合に、所定枚数のメダル、例えば１５枚のメダルがホッパー装置80から排出され、メダル排出口75を介して遊技者に付与される。
【００４５】
そして、レギュラーボーナス移行手段95は、前記レギュラーボーナスゲームの遊技回数が所定回数、例えば１２回に達したこと、または、特定図柄が揃って入賞となった回数が６回に達したことのいずれか先に達成される条件に従って、図３に示すように、レギュラーボーナスゲームから再びもとの遊技態様、すなわち、ビッグボーナスゲーム中の一般遊技に移行させる。
【００４６】
また、遊技回数計数手段96は、ビッグボーナスゲーム中の一般遊技及びビッグボーナスゲーム中のシングルボーナスゲームの回数を計数する。
さらに、レギュラーボーナ計数手段は、ビッグボーナスゲーム中に、レギュラーボーナスゲームに移行した回数を計数する。
そして、一般遊技移行手段98は、遊技回数計数手段96の遊技回数計数値が、第１の計数値、例えば３０に達したこと、又は、レギュラーボーナス計数手段97のレギュラーボーナス計数値が第２の計数値、例えば３に達したことの２つの条件のうち、いずれかの条件が達成されると、図３に示すように、遊技態様をビッグボーナスゲームから一般遊技に移行させる。
【００４７】
なお、上記した実施の形態の一例では、遊技回数計数手段96は、ビッグボーナス中の一般遊技に加えて、シングルボーナスゲームの回数を計数すると説明した。
しかし、異なる実施の形態の一例では、遊技回数計数手段96は、ビッグボーナス中の一般遊技のみを計数するようにしてもよい。
【００４８】
このように、遊技回数計数手段96は、ビッグボーナスゲーム中の一般遊技のみを計数するようにすることで、ビッグボーナスゲーム中のシングルボーナスゲームの回数が、ビッグボーナスゲームの終了条件に影響を与えないため、遊技者は、ビッグボーナス中の一般遊技の回数とは無関係に、ビッグボーナス中のシングルボーナスゲームに興じることができる。
【００４９】
また、ビッグボーナスゲームの終了条件である第１の計数値及び第２の計数値は、上記した実施の形態の一例に限られるものではなく、例えば第１の計数値を「４０」としてもよく、第２の計数値を「４」としてもよい。
さらには、前記遊技回数計数手段96の技回数計数値や前記レギュラーボーナス計数手段97のレギュラーボーナス計数値を表示する表示器を、図には示さないが、スロットマシン10の前面のいずれかの位置に設けるようにしてもよい。さらには、第１の計数値及び第２の計数値を表示器に予め表示しておき、両計数手段の計数値が加算される度に、この加算された値と同一の値を、それぞれ第１の計数値及び第２の計数値から減算させて表示させるようにしてもよい。
【００５０】
【発明の効果】
本発明は、以上のように構成されているので、以下に記載されるような効果を奏する。
請求項１記載のスロットマシンによれば、ビッグボーナスゲームの遊技中にシングルボーナスの抽選を行い、ビッグボーナスゲーム中にも、シングルボーナスゲームへの移行を可能として、ビッグボーナスゲーム中の遊技に変化を持たせ、興趣あふれる遊技が可能なスロットマシンを提供することができる。
さらに、請求項１記載のスロットマシンは、ビッグボーナスゲームの遊技回数に変更を来すことなく、ビッグボーナスゲーム中にシングルボーナスゲームを可能とすることにより、メリハリのある遊技が可能なスロットマシンを提供しようとするものである。
【００５１】
これに加え、請求項２記載のスロットマシンによれば、ビッグボーナスゲーム中に移行したシングルボーナスゲームが特定遊技回数終了した後は、再びビッグボーナスゲームへ移行することにより、ビッグボーナスゲームによる利益を十分享受可能とするとともに、更に変化に富んだ遊技が可能なスロットマシンを提供することができる。
【図面の簡単な説明】
【図１】スロットマシンの概略構成を表したブロック図である。
【図２】スロットマシンの概略正面図である。
【図３】遊技の態様の変化を表したタイムチャートである。
【符号の説明】
10  スロットマシン              20  スロットマシン本体
30  フロントパネル              40  表示窓
41  賞ライン                    50  リールモータ
60  回転リール                  70  スタートスイッチ
71  ストップスイッチ            72  メダル投入口
73  クレジット投入スイッチ      74  精算スイッチ
75  メダル排出口                76  メダル排出皿
80  ホッパー装置                90  遊技制御手段
91  小役抽選手段                92  ビッグボーナス抽選手段
93  ビッグボーナス移行手段      94  ビッグボーナス中抽選手段
95  レギュラーボーナス移行手段  96  遊技回数計数手段
97  レギュラーボーナス計数手段  98  一般遊技移行手段
99  シングルボーナス抽選手段   100  シングルボーナス移行手段
101  シングルボーナス中抽選手段